(57)【特許請求の範囲】
【請求項１】
遊技島台に設けられる上部島枠と下部島枠との間に形成される設置空間に遊技機の外枠の上辺部分又は下辺部分を固定する遊技機固定装置において、
前記遊技機固定装置は、
前記外枠の上辺部分の下面を上方に押圧する、又は前記外枠の下辺部分の上面を下方に押圧することで前記外枠の上辺部分又は下辺部分を固定する押圧固定部材と、
前記上部島枠又は前記下部島枠に固定される取付ベースと、
該取付ベースに対して前後方向に移動可能に取り付けられる移動取付部材と、
前記押圧固定部材を前記移動取付部材の表側に取り付ける第１螺軸部材と、
前記取付ベースに穿設されたネジ穴に対する捻じ込みによって前記移動取付部材を前記取付ベースに固定する第２螺軸部材と、
前記押圧固定部材との間で前記移動取付部材を挟持する位置に配置されて前記第１螺軸部材と螺合する螺合部材と、を備え、
前記移動取付部材は、
前記外枠の前後方向に沿って条設されて前記第２螺軸部材を挿通する長穴形状の挿通穴と、
前記外枠の上辺部分又は下辺部分の後端面と当接して当該外枠の後端面を支持する支持部と、を備え、
前記押圧固定部材は、
前記外枠の上辺部分の下面又は下辺部分の上面と当接して当該外枠を押圧する押圧部と、
当該押圧固定部材を前記移動取付部材に取り付けた状態で前記第２螺軸部材を被覆する被覆部と、を備え、
前記第１螺軸部材は、前記螺合部材に対する捻じ込みによって前記押圧部が前記外枠を押圧する方向に前記押圧固定部材を移動させると共に前記被覆部によって前記第２螺軸部材を被覆し且つ当該押圧固定部材と前記螺合部材とで前記移動取付部材を挟持して当該押圧固定部材を前記移動取付部材に固定する一方、前記螺合部材に対する捻じ込み解除によって前記押圧部が前記外枠の押圧を解除する方向に前記押圧固定部材を移動させ、前記押圧部が前記外枠の押圧を解除した状態で前記被覆部による前記第２螺軸部材の被覆を解除し、
前記第２螺軸部材は、前記ネジ穴に対する捻じ込みによって前記移動取付部材を前記挿通穴に沿って前後移動ができないように固定する一方、前記ネジ穴に対する捻じ込み解除によって前記支持部の位置調整を行うための前記移動取付部材の前後移動を前記挿通穴に沿って可能にすることを特徴とする遊技機固定装置。
【請求項２】
前記押圧部は、前記押圧固定部材の一端側に設けられ、前記押圧固定部材の他端側には、前記押圧部による前記外枠の押圧に伴って前記移動取付部材と当接する当接部が設けられることを特徴とする請求項１記載の遊技機固定装置。
【請求項３】
前記移動取付部材は、前記支持部を構成する前壁面と、前記外枠の前後方向に沿った側壁面と、を有し、
前記取付ベースは、前記移動取付部材の前記側壁面を外嵌することで前記移動取付部材の移動方向を規制する左右の側壁面を備えることを特徴とする請求項１又は請求項２記載の遊技機固定装置。
【発明の詳細な説明】
【技術分野】
【０００１】
本発明は、遊技島台に設けられる上部島枠と下部島枠との間に形成される設置空間に遊技機の外枠の上辺部分又は下辺部分を固定する遊技機固定装置に関するものである。
【背景技術】
【０００２】
従来、一般に、遊技島台に列設されるパチンコ機等の遊技機は、遊技島台に設けられる長尺板状の上部島枠と下部島枠との間に形成される設置空間に設置され、この上部又は下部の島枠と遊技機を構成する木製の外枠との間で釘が打ち込まれることにより、前後方向への傾斜角度（所謂「ねかせ角度」）を付けて遊技島台に固定されるようになっていた。ところが、近年では、遊技機を機種交換するサイクルが短くなったことで、遊技機の外枠との間で島枠に釘を打ち込む機会が増加しており、島枠には、釘打ちによって生じた無数の穴が残るようになっていた。このため、新しく遊技機を入れ替えようとしても、島枠に無数の穴が残った状態となり、このような無数の穴が邪魔をして、遊技機を正確に島枠に固定することができないという問題が生じていた。
そこで、特許文献１に開示されているように、島枠を遊技機の外枠との間で釘打ちすることなく、遊技機を固定する遊技機固定装置が提案されている。特許文献１に記載の遊技機固定装置は、外枠にネジ止め固定されるスライドベースと、該スライドベースに取り付けられるスライドボルトと、該スライドボルトに螺合して取り付けられるスライドタップと、該スライドタップが一体的に固定されると共にスライドベースに対してスライド移動可能に取り付けられるグリップベースと、該グリップベースに固定されるグリップアームと、を備え、グリップベースとグリップアームとの間で外枠の後端部分を挟持固定するようになっている。そして、特許文献１の遊技機固定装置では、グリップベースとグリップアームとの間で外枠を挟持固定した状態のまま、スライドボルトを回転操作することでスライドタップを前後方向に移動させ、これに伴って、スライドタップと一体的なグリップベース及びグリップアームを前後方向にスライド移動させることで、外枠の後端面の位置調整、言い換えれば遊技機の傾斜角度の調整を可能にしている。
【先行技術文献】
【特許文献】
【０００３】
【特許文献１】特開２００９−１４８４８６号公報（図１）
【発明の概要】
【発明が解決しようとする課題】
【０００４】
ところで、遊技機の傾斜角度は、当該遊技機を構成する遊技領域でのパチンコ玉の流下に大きな影響を与えるものであり、その傾斜角度が若干変わるだけでも、パチンコ玉が遊技領域内の入賞口に入る割合を大きく左右するようになっている。ところが、上記特許文献１の遊技機固定装置によれば、グリップベースとグリップアームとの間で外枠を挟持固定した状態のまま、即ち、外枠の固定状態を解除することなく、スライドボルトを回転操作するだけで簡単に遊技機の傾斜角度を変えることができてしまう。しかしながら、この構成では、遊技客等の遊技場部外者が不正な操作で簡単に遊技機の傾斜角度を変えることができるので、このような操作によって大量の出玉を獲得するという不正行為が行われる虞がある。また、遊技機の傾斜角度を不正に変える行為を防止するために、傾斜角度の調整操作を困難なものにしてしまうと、これに伴って、遊技機を設置する際に遊技場側で行う傾斜角度の調整作業が面倒になってしまうという問題が生じる。
本発明は、上記した事情に鑑みなされたもので、その目的とするところは、遊技場側で遊技機の傾斜角度を容易に調整することができ、且つ、遊技機の傾斜角度を不正に変える行為を防止することができる遊技機固定装置を提供することにある。
【課題を解決するための手段】
【０００５】
上記した目的を達成するために、請求項１の発明においては、遊技島台に設けられる上部島枠と下部島枠との間に形成される設置空間に遊技機の外枠の上辺部分又は下辺部分を固定する遊技機固定装置において、前記遊技機固定装置は、前記外枠の上辺部分の下面を上方に押圧する、又は前記外枠の下辺部分の上面を下方に押圧することで前記外枠の上辺部分又は下辺部分を固定する押圧固定部材と、前記上部島枠又は前記下部島枠に固定される取付ベースと、該取付ベースに対して前後方向に移動可能に取り付けられる移動取付部材と、前記押圧固定部材を前記移動取付部材の表側に取り付ける第１螺軸部材と、前記取付ベースに穿設されたネジ穴に対する捻じ込みによって前記移動取付部材を前記取付ベースに固定する第２螺軸部材と、前記押圧固定部材との間で前記移動取付部材を挟持する位置に配置されて前記第１螺軸部材と螺合する螺合部材と、を備え、前記移動取付部材は、前記外枠の前後方向に沿って条設されて前記第２螺軸部材を挿通する長穴形状の挿通穴と、前記外枠の上辺部分又は下辺部分の後端面と当接して当該外枠の後端面を支持する支持部と、を備え、前記押圧固定部材は、前記外枠の上辺部分の下面又は下辺部分の上面と当接して当該外枠を押圧する押圧部と、当該押圧固定部材を前記移動取付部材に取り付けた状態で前記第２螺軸部材を被覆する被覆部と、を備え、前記第１螺軸部材は、前記螺合部材に対する捻じ込みによって前記押圧部が前記外枠を押圧する方向に前記押圧固定部材を移動させると共に前記被覆部によって前記第２螺軸部材を被覆し且つ当該押圧固定部材と前記螺合部材とで前記移動取付部材を挟持して当該押圧固定部材を前記移動取付部材に固定する一方、前記螺合部材に対する捻じ込み解除によって前記押圧部が前記外枠の押圧を解除する方向に前記押圧固定部材を移動させ、前記押圧部が前記外枠の押圧を解除した状態で前記被覆部による前記第２螺軸部材の被覆を解除し、前記第２螺軸部材は、前記ネジ穴に対する捻じ込みによって前記移動取付部材を前記挿通穴に沿って前後移動ができないように固定する一方、前記ネジ穴に対する捻じ込み解除によって前記支持部の位置調整を行うための前記移動取付部材の前後移動を前記挿通穴に沿って可能にすることを特徴とする。
【０００６】
また、請求項２の発明においては、請求項１記載の遊技機固定装置において、前記押圧部は、前記押圧固定部材の一端側に設けられ、前記押圧固定部材の他端側には、前記押圧部による前記外枠の押圧に伴って前記移動取付部材と当接する当接部が設けられることを特徴とする。
【０００７】
また、請求項３の発明においては、請求項１又は請求項２記載の遊技機固定装置において、前記移動取付部材は、前記支持部を構成する前壁面と、前記外枠の前後方向に沿った側壁面と、を有し、前記取付ベースは、前記移動取付部材の前記側壁面を外嵌することで前記移動取付部材の移動方向を規制する左右の側壁面を備えることを特徴とする。
【発明の効果】
【０００８】
請求項１の発明においては、遊技機（外枠）を設置空間内に設置する場合、先ず、第２螺軸部材のネジ穴に対する捻じ込みによって移動取付部材を取付ベースに固定する。そして、第１螺軸部材の螺合部材に対する捻じ込み解除によって、押圧部が外枠の押圧を解除する方向に押圧固定部材を移動させ、この状態で、外枠を設置空間に対して前方から挿入して、外枠の上辺部分又は下辺部分の後端面を移動取付部材の支持部と当接させる。次いで、この状態から、第１螺軸部材の螺合部材に対する捻じ込みによって、押圧部が外枠を押圧する方向に押圧固定部材を移動させて、外枠を設置空間に固定する。このとき、遊技機の傾斜角度は、外枠の上辺部分又は下辺部分の後端面を支持する移動取付部材の支持部の位置、言い換えれば、取付ベースに対する移動取付部材の移動位置によって決定される。このため、遊技場側では、第２螺軸部材の捻じ込み操作によって移動取付部材を取付ベースに固定する際、即ち、第２螺軸部材のネジ穴に対する捻じ込み解除状態から第２螺軸部材を捻じ込む際、移動取付部材を挿通穴に沿って前後移動させて支持部の位置を調整するだけでよいので、遊技機の傾斜角度を容易に調整することができる。
また、上記したような構成において、遊技機固定装置によって遊技機を固定した状態では、第１螺軸部材の螺合部材に対する捻じ込みによって押圧部が外枠を押圧する方向に押圧固定部材を移動させることで、第２螺軸部材は押圧固定部材の被覆部によって被覆される。このため、遊技場に侵入して不正に遊技機の傾斜角度を変えるような場合には、第２螺軸部材の捻じ込みを解除して移動取付部材を前後移動させるために、被覆部による第２螺軸部材の被覆を解除しなければならない。しかしながら、被覆部による第２螺軸部材の被覆を解除するには、第１螺軸部材の螺合部材に対する捻じ込み解除によって押圧部が外枠の押圧を解除する方向に押圧固定部材を移動させる必要があり、結果として、遊技機固定装置による遊技機（外枠）の固定状態を解除することになってしまう。このため、遊技機を固定した状態のまま遊技機の傾斜角度だけを変えるような簡単な作業とは違い、遊技機を固定する作業も行う必要があり大掛かりな作業が強いられることになる。従って、不正に遊技機の傾斜角度を変える作業を困難なものとすることができ、ひいては、遊技機の傾斜角度を不正に変える行為を防止することができる。
【０００９】
また、請求項２の発明においては、押圧固定部材の押圧部によって外枠を押圧して固定する際、押圧固定部材は、押圧部を介して外枠から強い反力を受けることになるが、このような押圧部による押圧状態で、押圧固定部材の当接部は、移動取付部材と当接する。このため、押圧固定部材の一端側の押圧部にかかる強い反力は、押圧固定部材の他端側の当接部と当接する移動取付部材で受けられるので、押圧固定部材が外枠からの反力を受けて変形するという事態を回避することができる。
【００１０】
また、請求項３の発明においては、移動取付部材を構成する左右の側壁面によって取付部材の側壁面を外嵌することで、移動取付部材の移動方向を規制することができる。このため、移動取付部材を前後移動させて支持部の位置調整を行う場合、即ち、遊技機の傾斜角度を調整する場合には、移動取付部材を左右方向で傾いた状態で前後移動させることを回避できる。従って、移動取付部材の前壁面によって構成される支持部の位置が左右方向で傾くことがないので、遊技機の左右方向で傾斜角度が変わってしまうような不具合を回避することができる。
【図面の簡単な説明】
【００１１】
【図１】遊技島台の内部構造の一部と玉貸機、外枠、及び間仕切りを示す正面斜視図である。
【図２】上部島枠と下部島枠との間に取り付けられた外枠を示す裏面斜視図である。
【図３】下部島枠に取り付けられた下側遊技機固定装置によって外枠の下辺部分が固定された状態を示す斜視図である。
【図４】上部島枠に取り付けられた上側遊技機固定装置によって外枠の上辺部分が固定された状態を示す斜視図である。
【図５】同図（Ａ）は下側遊技機固定装置を示す斜視図であり、同図（Ｂ）は下側遊技機固定装置を示す分解斜視図である。
【図６】同図（Ａ），（Ｂ）はそれぞれ下側遊技機固定装置を示す縦断面図である。
【図７】同図（Ａ）は上側遊技機固定装置を示す斜視図であり、同図（Ｂ）は上側遊技機固定装置を示す分解斜視図である。
【図８】同図（Ａ）は取付ベースを除いた上側遊技機固定装置を示す上方からの斜視図であり、同図（Ｂ）は取付ベースを除いた上側遊技機固定装置を示す下方からの斜視図である。
【図９】同図（Ａ），（Ｂ）はそれぞれ上側遊技機固定装置を示す斜視図である。
【図１０】同図（Ａ）は第二実施形態における上側遊技機固定装置を示す斜視図であり、同図（Ｂ）は第二実施形態における取付ベースを除いた上側遊技機固定装置を示す斜視図である。
【図１１】同図（Ａ）は第二実施形態における上側遊技機固定装置を示す斜視図であり、同図（Ｂ）は第二実施形態における上側遊技機固定装置を示す分解斜視図である。
【図１２】同図（Ａ）〜（Ｆ）はそれぞれ第二実施形態における上側遊技機固定装置によって外枠の傾斜角度が調整される状態を示す側面図である。
【図１３】第三実施形態における上側遊技機固定装置と賞球補給装置がスライド調整機構を介して上部島枠に取り付けられた状態を示す上方からの斜視図である。
【図１４】第三実施形態における上側遊技機固定装置と賞球補給装置がスライド調整機構を介して上部島枠に取り付けられた状態を示す下方からの斜視図である。
【図１５】同図（Ａ）は第三実施形態における取付ベースを除いた上側遊技機固定装置を示す上方からの斜視図であり、同図（Ｂ）は第三実施形態における取付ベースを除いた上側遊技機固定装置を示す下方からの斜視図である。
【図１６】同図（Ａ）は第三実施形態における上側遊技機固定装置及びスライド調整機構を示す縦断面図であり、同図（Ｂ）は第三実施形態におけるスライド調整機構を示す縦断面図である。
【図１７】第三実施形態における下側遊技機固定装置とアウト玉箱がスライド調整機構を介して下部島枠に取り付けられた状態を示す斜視図である。
【図１８】同図（Ａ）は第三実施形態における下側遊技機固定装置を示す斜視図であり、同図（Ｂ）は第三実施形態における下側遊技機固定装置を示す分解斜視図である。
【図１９】同図（Ａ），（Ｂ）はそれぞれ第三実施形態における下側遊技機固定装置を示す縦断面図である。
【図２０】第三実施形態における下側遊技機固定装置が隅角補強金具を備えた外枠を固定した状態を示す斜視図である。
【図２１】第三実施形態における下側遊技機固定装置が取替え用の押圧固定部材によって隅角補強金具を備えた外枠を固定した状態を示す斜視図である。
【図２２】他の実施形態における間仕切りが取り付けられた遊技島台を示す正面斜視図である。
【図２３】同図（Ａ），（Ｂ）はそれぞれ他の実施形態における間仕切りを示す側面図である。
【発明を実施するための形態】
【００１２】
以下、図面を参照して本発明の実施形態について説明する。先ず、図１乃至図４を参照して、本実施形態に係る遊技島台１の概略構成について説明する。図１は、遊技島台１の内部構造の一部と玉貸機２、外枠９、及び間仕切り８を示す正面斜視図である。図２は、上部島枠４と下部島枠５との間に取り付けられた外枠９を示す裏面斜視図である。図３は、下部島枠５に取り付けられた下側遊技機固定装置２０によって外枠９の下辺部分が固定された状態を示す斜視図である。図４は、上部島枠４に取り付けられた上側遊技機固定装置５０によって外枠９の上辺部分が固定された状態を示す斜視図である。
【００１３】
図１に示すように、遊技島台１には、複数の遊技機（図示しない）を取り付けるための上部島枠４と、下部島枠５と、がそれぞれ遊技機の高さ寸法とほぼ同一の間隔をあけて当該遊技島台１の長手方向に沿って掛け渡されている。下部島枠５の前端側は、遊技者が玉箱などを載置するためのいわゆるカウンター板６として突設されている。上部島枠４は、遊技機の上方に配置される図示しない補給樋などを覆い隠すための幕板３が取り付けられる固定枠のうちの下側の枠としての機能を兼ね備えている。下部島枠５の下方には、遊技島台１で循環使用されるパチンコ玉を貯留するための図示しない貯留タンクなどを覆い隠すための腰板１３が取り付けられる。
【００１４】
上部島枠４と下部島枠５との間には、複数の遊技機間で所定の間隔を設けるための複数の間仕切り８が、遊技機の横幅寸法に当該遊技機に隣接されてパチンコ玉の貸し出しを制御する玉貸機２の横幅寸法を加えた値とほぼ同一の間隔をあけて取り付けられている。そして、上部島枠４、下部島枠５、及び隣接する２本の間仕切り８によって区画された空間が１台の遊技機を設置するための設置空間１０として構成されている。なお、図１中には、木製材料から形成されて遊技機内枠（図示しない本体枠や遊技盤から構成される部材）の外周部分を覆う矩形状の外枠９と、該外枠９の下辺前端に取り付けられる装飾カバー板１１と、上部島枠４の後側上面に取り付けられて遊技機から排出されたパチンコ玉を図示しない回収樋に送り込むアウト玉箱１２と、遊技機（外枠９）に隣接して設けられる玉貸機２と、が設置空間１０に取り付けられた状態を図示している。また、遊技機は、装飾カバー板１１が取り付けられた外枠９と、該外枠９内に取り付けられる遊技機内枠とから構成されるものである。
【００１５】
また、設置空間１０を区画形成する下部島枠５には、図２及び図３に示すように、遊技機を当該設置空間１０内に固定するための下側遊技機固定装置２０が左右２箇所に取り付けられている。一方、設置空間１０を区画形成する上部島枠４には、図２及び図４に示すように、傾斜角度（ねかせ角度）を調整可能に遊技機を当該設置空間１０内に固定するための上側遊技機固定装置５０が左右２箇所に取り付けられている。なお、下側遊技遊技機固定装置２０は、下部島枠５の後側上面に固定された支承板７の上面にビスで固定されることにより下部島枠５の上方に取り付けられ、上側遊技機固定装置５０は、上部島枠４の後端部分にビスで固定されることにより上部島枠４の下方に取り付けられる。
【００１６】
次に、下側遊技機固定装置２０の構成について、図５及び図６を参照して説明する。図５（Ａ）は、下側遊技機固定装置２０を示す斜視図であり、図５（Ｂ）は、下側遊技機固定装置２０を示す分解斜視図である。図６（Ａ），（Ｂ）は、それぞれ下側遊技機固定装置２０を示す縦断面図である。図５（Ａ），（Ｂ）に示すように、遊技機固定装置としての下側遊技機固定装置２０は、支承板７の上面にビス止めされる取付ベース２１と、該取付ベース２１と一体的に支承板７にビス止めされる取付部材２２と、外枠９の下辺部分の上面を下方に押圧して固定する押圧固定部材２３と、該押圧固定部材２３を取付部材２２に対してスライド移動可能に取り付ける螺合部材２４、取付ボルト２５、及び取付ナット２６と、上下２つのコイルスプリング２７，２８と、押圧固定部材２３に取り付けられて外枠９の下辺部分を押圧する押圧ボルト２９（図３参照）と、を備えている。
【００１７】
取付ベース２１は、ほぼ正方形状の板材（木製、紙製、あるいは金属製の板材）からなり、その四隅部分の近傍にはそれぞれ取付ベース２１を支承板７にビス止めするための取付穴３０が穿設されている。取付部材２２は、金属板が折曲されて、上壁面３１及び左右の側壁面３２を備えた形状に形成されている。上壁面３１には、取付ボルト２５を挿通するための挿通穴３１ａが長穴形状に穿設されている。左右の側壁面３１の下端には、それぞれ取付部材２２を取付ベース２１上に取り付けるための取付フランジ部３３が形成されており、該取付フランジ部３３には、取付ベース２１に穿設された４つの取付穴３０と個々に対応する取付穴３３ａが穿設されている。そして、取付ベース２１及び取付部材２２は、それぞれ各取付穴３０，３３ａを介して支承板７の上面に一体的にビス止めして取り付けられる。なお、取付部材２２は、長穴形状をなす挿通穴３１ａの条設方向が設置空間１０に設置される遊技機（外枠９）の前後方向と並行になるように取り付けられる。
【００１８】
押圧固定部材２３は、金属板が折曲されて、左右の側壁面３４、上壁面３５、及び後壁面３６を備えた形状に形成されている。左右の側壁面３４は、それぞれ取付部材２２の左右の側壁面３２を個々に外嵌する形状に形成されており、その前端部分は、設置空間１０に設置される外枠９の下辺部分の後端面と当接して該後端面を支持する支持部３４ａを構成している。上壁面３５の後側部分には、取付ボルト２５を取り付けるための取付穴３７が穿設されている。一方、上壁面３５の前端側は、前方に延設されており、その先端部分は、下方にほぼ直角に折曲されて複数（実施形態中では、３つ）の押圧爪部３８（押圧部）が形成されている。また、上壁面３５の前側部分には、ボルト取付用のネジ穴３９が穿設されている。このネジ穴３９は、押圧ボルト２９（図３参照）の捻じ込みを可能にして、当該押圧ボルト２９の先端部分で外枠９の下辺上面を押え込むようになっている。後壁面３６は、側壁面３４に比べて高さ寸法が短く設定されている。このため、押圧固定部材２３を取付部材２２に取り付けた状態で、後壁面３６が取付部材２２を外嵌することはなく、後壁面３６の下端部分（以下、これを当接部３６ａという）は、押圧固定部材２３による外枠９の下辺部分の押圧状態に応じて取付部材２２の上壁面３１と当接するようになっている。
【００１９】
螺合部材２４は、左右の側壁面４０及び上壁面４１を備えた形状に金属板が折曲形成されて、取付部材２２の上壁面３１と取付ベース２１との間の空間内に配置される。上壁面４１には、取付ボルト２５と螺合するネジ穴４２が穿設されている。なお、螺合部材２４の上壁面４１と取付ベース２１との間には、コイルスプリング２８が配置される。これにより、螺合部材２４は、コイルスプリング２８の弾性力によって、上壁面４１が取付部材２２の上壁面３１と当接するように常時付勢されるようになっている。取付ボルト２５は、螺合部材２４のネジ穴４２と螺合する雄ネジ部４３と、該雄ネジ部４３の上端に一体的に設けられて当該取付ボルト２５を回転操作するための操作部４４と、当該取付ボルト２５の下端に設けられて取付ナット２６を螺着する止めネジ部４５と、該止めネジ部４５と雄ネジ部４３との間でネジ山が設けられない無ネジ部４６と、を備えている。
【００２０】
そして、図６（Ａ），（Ｂ）に示すように、取付ボルト２５が、押圧固定部材２３の取付穴３７、コイルスプリング２７、及び取付部材２２の挿通穴３１ａに順次挿通され、この状態から、下端部分の止めネジ部４５が、螺合部材２４のネジ穴４２、次いで、取付ナット２６に螺合される。これにより、押圧固定部材２３が、螺合部材２４、取付ボルト２５、及び取付ナット２６によって取付部材２２に取り付けられて、下側遊技機固定装置２０が組み付けられる。また、このような下側遊技機固定装置２０の組み付けによって、押圧固定部材２３の上壁面３５と取付部材２２の上壁面３１との間には、コイルスプリング２７が配置されることになり、該コイルスプリング２７は、上壁面３５が取付ボルト２５の操作部４４と当接するように押圧固定部材２３を常時付勢する。一方、螺合部材２４と取付ベース２１との間に配置されたコイルスプリング２８は、前述したように上壁面４１が取付部材２２の上壁面３１と当接するように螺合部材２４を常時付勢する。また、取付ボルト２５の下端部分となる止めネジ部４５が螺合された取付ナット２６は、螺合部材２４と取付ベース２１との間に配置されたコイルスプリング２８の内部空間に挿入した状態となる。
【００２１】
しかして、以上説明した下側遊技機固定装置２０によって外枠９の下辺部分を設置空間１０内に固定する場合、先ず、外枠９を設置空間１０の前方から挿し入れる。このとき、図６（Ｂ）に示すように、取付ボルト２５の雄ネジ部４３が螺合部材２４のネジ穴４２に対して捻じ込み解除（取付ボルト２５の無ネジ部４６がネジ穴４２に対応）されることで、押圧固定部材２３は、コイルスプリング２７の付勢力によって取付部材２２から遠ざかる方向（上方向）に移動されている。即ち、押圧固定部材２３の押圧爪部３８と支承板７との間隔が外枠９の下辺部分の厚さ寸法よりも大きくとられることで、外枠９の設置空間１０内への挿入を押圧爪部３８が阻害しない位置に移動されている。
【００２２】
また、このとき、押圧固定部材２３は、取付ボルト２５（雄ネジ部４３）のネジ穴４２に対する捻じ込みが解除され、然も、押圧爪部３８による外枠９の押圧を解除した状態にあるため、取付部材２２の挿通穴３１ａに対する取付ボルト２５の移動方向、言い換えれば、設置空間１０に設置される遊技機（外枠９）の前後方向に沿ってスライド移動が可能となっている。これにより、押圧固定部材２３のスライド移動位置を調整することで、側壁面３４の前端部分である支持部３４ａが外枠９の下辺後端面を支持する位置、即ち、設置空間１０内における外枠９の下側部分の前後方向の設置位置が調整可能となっている。
【００２３】
そして、外枠９の下辺後端面が支持部３４ａと当接されて設置空間１０内への外枠９の挿入が完了すると、図６（Ａ）に示すように、取付ボルト２５の雄ネジ部４３を螺合部材２４のネジ穴４２に捻じ込むことで、コイルスプリング２７の付勢力に抗して押圧固定部材２３を取付部材２２に近づく方向（下方向）に移動し、最終的に、押圧爪部３８が外枠９の下辺上面に刺し込まれながら当該下辺上面を下方に押し込む位置まで押圧固定部材２３を移動させる。これにより、押圧固定部材２３（押圧爪部３８）と支承板７との間で外枠９の下辺部分を挟持固定する。また、このとき、押圧固定部材２３のネジ穴３９に押圧ボルト２９を捻じ込むことで、当該押圧ボルト２９の先端部分でも外枠９の下辺上面を押え込む。これにより、外枠９が硬質プラスチック等の硬質材料から形成されて硬度の高い外枠９を下側遊技機固定装置２０で固定する場合でも、硬質な外枠９による押圧爪部３８の押し返し（のけ反り）を抑えることができ、強い押し込み力で外枠９を確実に固定することができる。但し、外枠９がプラスチック製など比較的硬質な材料で形成されている場合には、押圧ボルト２９に替えてビスを押圧固定部材２３のネジ穴３９に捻じ込んでビス止めするようにすれば、より強固に外枠９の固定を行うことができる。なお、このように押圧ボルトに替えてビスを押圧固定部材のネジ穴に捻じ込んで外枠をビス止めする構成は、第三実施形態に限定するものではなく、前述した第一又は第二の実施形態に適用することで、同様の効果を奏するようにしてもよい。
【００２４】
また、上記した押圧固定部材２３の押圧爪部３８によって外枠９を上方から押圧して固定する際、押圧固定部材２３は、押圧爪部３８を介して外枠９の下辺上面から強い反力を受けることになるが、このような押圧爪部３８による押圧状態で、押圧固定部材２３の後壁面３６の当接部３６ａは、取付部材２２の上壁面３１と当接するようになっている。このため、押圧固定部材２３の一端部分である押圧爪部３８にかかる強い反力は、押圧固定部材２３の他端部分である当接部３６ａと当接する取付部材２２の上壁面３１で受けられるので、押圧固定部材２３が外枠９からの反力を受けて変形するという事態を回避することができる。
【００２５】
ところで、押圧固定部材２３の上壁面３５と取付部材２２の上壁面３１との間に配置されるコイルスプリング２７は、押圧固定部材２３を常時上方に付勢することで、押圧固定部材２３の押圧爪部３８が外枠９の下辺上面を下方に押し込んでいない状態でも、押圧爪部３８が設けられる押圧固定部材２３の先端側が自重によって下方に落ち込まない、言い換えれば、支承板７との間隔を狭める方向に移動しないようにしている。このため、外枠９を設置空間１０の前方から挿し入れる際に、押圧固定部材２３を取付部材２２から遠ざかる方向（上方向）に移動させた状態でも、押圧固定部材２３の先端側（押圧爪部３８側）の落ち込みを抑えて、押圧爪部３８が外枠９の設置空間１０内への挿入を阻害しないようにできる。
【００２６】
一方、螺合部材２４の上壁面４１と取付ベース２１との間に配置されるコイルスプリング２８は、螺合部材２４を常時上方に付勢することで、図６（Ｂ）に示す状態、即ち、取付ボルト２５の雄ネジ部４３が螺合部材２４のネジ穴４２に対して捻じ込み解除されてネジ穴４２に無ネジ部４６が位置した状態でも、螺合部材２４の上壁面４１が取付部材２２の上壁面３１と当接するようにしている。このため、ネジ穴４２に対する雄ネジ部４３の捻じ込みが解除された状態から雄ネジ部４３を捻じ込んで外枠９を固定する際でも、ネジ穴４２が穿設された螺合部材２４を強制的に持ち上げることで、ネジ穴４２に対する雄ネジ部４３の捻じ込み操作を安定して行わせることができる。
【００２７】
また、押圧固定部材２３を取付部材２２に取り付けるための取付ボルト２５の下端には、取付ナット２６が取り付けられるようになっている。このため、押圧固定部材２３を取付部材２２から遠ざかる方向（上方向）に移動させる際に、ネジ穴４２に対する雄ネジ部４３の捻じ込みを緩め過ぎて、取付ボルト２５が抜き取られてしまう不具合を解消することができる。さらに、取付ボルト２５には、ネジ穴４２と螺合する雄ネジ部４３と取付ナット２６を螺着するための止めネジ部４５との間に無ネジ部４６が設けられて、雄ネジ部４３の下端（無ネジ部４６）が、ネジ穴４２と螺合せずに遊回転するようになっている。このため、取付ボルト２５下端の取付ナット２６がないような場合でも、雄ネジ部４３の下端で遊回転するので、一気に取付ボルト２５が抜けてしまうことがない。
【００２８】
次に、上側遊技機固定装置５０の構成について、図７乃至図９を参照して説明する。図７（Ａ）は、上側遊技機固定装置５０を示す斜視図であり、図７（Ｂ）は、上側遊技機固定装置５０を示す分解斜視図である。図８（Ａ）は、取付ベース５１を除いた上側遊技機固定装置５０を示す上方からの斜視図であり、図８（Ｂ）は、取付ベース５１を除いた上側遊技機固定装置５０を示す下方からの斜視図である。図９（Ａ），（Ｂ）は、それぞれ上側遊技機固定装置５０を示す斜視図である。図７及び図８に示すように、遊技機固定装置としての上側遊技機固定装置５０は、上部島枠４の後端部分にビス止めされる取付ベース５１と、該取付ベース５１に一体的に取り付け固定される取付部材５２と、外枠９の上辺部分の下面を上方に押圧して固定する押圧固定部材５３と、該押圧固定部材５３を取付部材５２に対してスライド移動可能に取り付ける螺合部材５４、取付ボルト５５、及び取付ナット５６と、取付部材５２を取付ベース５１に取り付け固定するための固定ボルト５７と、押圧固定部材５３に取り付けられて外枠９の上辺部分を押圧する押圧ボルト５８と、を備えている。
【００２９】
なお、上側遊技機固定装置５０を構成する取付部材５２、押圧固定部材５３、螺合部材５４、及び取付ボルト５５は、それぞれ前述した下側遊技機固定装置２０を構成する取付部材２２、押圧固定部材２３、螺合部材２４、及び取付ボルト２５と同一又は同様の形状に形成されて取り付け状態が上下反対となる。このため、以下の説明では、下側遊技機固定装置２０の各種構成部材２２〜２５の説明で用いた上下関係の表現（例えば、上壁面）を便宜的に用いて説明を行うものである。
【００３０】
取付ベース５１は、長板状の基板部６０を備えた金属板が折曲されて形成されており、基板部６０の前端側には、取付ベース５１を上部島枠４の後端部分にビス止めするための取付穴６１を穿設したビス止めフランジ部６２が折曲形成されている。基板部６０には、固定ボルト５７によって取付部材５２を取付ベース５１に固定するためのネジ穴６３，６４が前後２箇所に穿設されている。なお、固定ボルト５７は、ネジ穴６３，６４のいずれか一方と螺合することで取付部材５２を取付ベース５１に固定するものである。また、基板部６０の短手方向の両端には、それぞれ取付部材５２の横幅方向の取付位置を規制するための規制フランジ部６５が下方に折曲形成されている。即ち、左右一対の規制フランジ部６５が形成された基板部６０は、後述する取付部材５２の左右の側壁面６６を内嵌する断面凹形状に形成されている。
【００３１】
取付部材５２は、金属板が折曲されて、左右の側壁面６６、上壁面６７、前壁面６８、及び後壁面６９を備えた形状に形成されている。上壁面６７には、取付ボルト５５を挿通するための挿通穴７０が長穴形状に穿設されている。前壁面６８の下端には、上側遊技機固定装置５０によって外枠９を固定する際に外枠９の上辺部分の上端面と当接する当接フランジ部７１が形成されている。一方、後壁面６９の下端には、取付部材５２を取付ベース５１に取り付けるための取付フランジ部７２が形成されており、該取付フランジ部７２には、固定ボルト５７を挿通するための挿通穴７３が穿設されている。そして、取付部材５２は、取付フランジ部７２（挿通穴７３）に挿通された固定ボルト５７が、上部島枠４の後端部分にビス止めされた取付ベース５１のネジ穴６３，６４のいずれか一方に捻じ込まれることで、取付ベース５１に一体的に取り付け固定される。なお、このような取付部材５２の取り付け状態において、上壁面６７に穿設された長穴形状の挿通穴７０は、その条設方向が設置空間１０に設置される遊技機（外枠９）の前後方向と並行になるように配される。
【００３２】
押圧固定部材５３は、金属板が折曲されて、左右の側壁面７４、上壁面７５、及び後壁面７６を備えた形状に形成されている。左右の側壁面７４は、それぞれ取付部材５２の左右の側壁面６６を個々に外嵌する形状に形成されており、その前端部分は、設置空間１０に設置される外枠９の上辺部分の後端面と当接して該後端面を支持する支持部７４ａを構成している。上壁面７５の後側部分には、取付ボルト５５を取り付けるための取付穴７７が穿設されている。一方、上壁面７５の前端側は、前方に延設されており、その先端部分は、下方にほぼ直角に折曲されて複数（実施形態中では、３つ）の押圧爪部７８（押圧部）が形成されている。また、上壁面７５の前側部分には、ボルト取付用のネジ穴７９が穿設されている。このネジ穴７９は、押圧ボルト５８の捻じ込みを可能にして、当該押圧ボルト５８の先端部分で外枠９の上辺下面を押え込むようになっている。後壁面７６は、側壁面７４に比べて高さ寸法が短く設定されている。このため、押圧固定部材５３を取付部材５２に取り付けた状態で、後壁面７６が取付部材５２を外嵌することはなく、後壁面７６の下端部分（以下、これを当接部７６ａという）は、押圧固定部材５３による外枠９の上辺部分の押圧状態に応じて取付部材５２の上壁面６７と当接するようになっている。
【００３３】
螺合部材５４は、左右の側壁面８０及び上壁面８１を備えた形状に金属板が折曲形成されて、取付部材５２の上壁面６７と取付ベース５１の基板部６０との間の空間内に配置される。上壁面８１には、取付ボルト５５と螺合するネジ穴８２が穿設されている。取付ボルト５５は、螺合部材５４のネジ穴８２と螺合する雄ネジ部８３と、該雄ネジ部８３の上端に一体的に設けられて当該取付ボルト５５を回転操作するための操作部８４と、当該取付ボルト５５の下端に設けられて取付ナット５６を螺着する止めネジ部８５と、該止めネジ部８５と雄ネジ部８３との間でネジ山が設けられない無ネジ部８６と、を備えている。
【００３４】
そして、取付ボルト５５が、押圧固定部材５３の取付穴７７及び取付部材５２の挿通穴７０に順次挿通され、この状態から、上端部分の止めネジ部８５が、螺合部材５４のネジ穴８２、次いで、取付ナット５６に螺合される。これにより、押圧固定部材５３が、螺合部材５４、取付ボルト５５、及び取付ナット５６によって取付部材５２に取り付けられて、上側遊技機固定装置５０が組み付けられる。
【００３５】
次に、以上説明した上側遊技機固定装置５０によって遊技機（外枠９）を設置空間１０内で傾斜角度の調整を可能に固定する手順について説明する。なお、上側遊技機固定装置５０による外枠９の固定作業は、遊技機の傾斜角度の調整を考慮すれば、前述した下側遊技機固定装置２０による外枠９の固定作業が完了した後に行われることが望ましく、以下の説明では、設置空間１０内への外枠９の挿入が完了していることを前提として説明を行う。但し、外枠９を設置空間１０の前方から挿し入れる際、取付ボルト５５の雄ネジ部８３が螺合部材５４のネジ穴８２に対して捻じ込み解除（取付ボルト５５の無ネジ部８６がネジ穴８２に対応）されることで、押圧固定部材５３は、重力によって取付部材５２から遠ざかる方向（下方向）に移動されている。即ち、押圧固定部材５３の押圧爪部７８と上部島枠４の下面との間隔が外枠９の上辺部分の厚さ寸法よりも大きくとられることで、外枠９の設置空間１０内への挿入を押圧爪部７８が阻害しない位置に移動されている。
【００３６】
また、上側遊技機固定装置５０の組み付けにおいて、取付部材５２は、取付ベース５１に対して２通りの取り付け状態のうちいずれか一方の状態で取り付けが行われる。即ち、取付部材５２の取付フランジ部７２に螺合された固定ボルト５７を取付ベース５１の基板部６０に穿設された後側のネジ穴６４に捻じ込んで、取付部材５２を取付ベース５１に取り付け固定した場合には、図９（Ａ）に示すように、取付ベース５１に対して取付部材５２が後側に取り付けられることで、取付ベース５１がビス止めされる上部島枠４に対して押圧固定部材５３が後側に配置される。このため、外枠９の奥行き寸法が大きく設定されているとき、言い換えれば、外枠９の後端面が後方に入り込んで設置されるときには、図９（Ａ）に示す状態で押圧固定部材５３を後側に配置することにより、奥行き寸法が大きい外枠９に対応した固定作業が行える。
【００３７】
一方、取付部材５２の取付フランジ部７２に螺合された固定ボルト５７を取付ベース５１の基板部６０に穿設された前側のネジ穴６３に捻じ込んで、取付部材５２を取付ベース５１に取り付け固定した場合には、図９（Ｂ）に示すように、取付ベース５１に対して取付部材５２が前側に取り付けられることで、取付ベース５１がビス止めされる上部島枠４に対して押圧固定部材５３が前側に配置される。このため、外枠９の奥行き寸法が小さく設定されているとき、言い換えれば、外枠９の後端面が後方に入り込まずに設置されるときには、図９（Ｂ）に示す状態で押圧固定部材５３を前側に配置することにより、奥行き寸法が小さい外枠９に対応した固定作業が行える。
【００３８】
そして、外枠９の上辺上面が取付部材５２の当接フランジ部７１と当接された状態で設置空間１０内に外枠９が挿入されると、取付ボルト５５の雄ネジ部８３を螺合部材５４のネジ穴８２に捻じ込むことで、重力に抗して押圧固定部材５３を取付部材５２に近づく方向（上方向）に移動する。なお、このとき、押圧固定部材５３は、押圧爪部７８による外枠９の押圧を解除した状態にあるため、取付部材５２の挿通穴７０に対する取付ボルト５５の移動方向、言い換えれば、設置空間１０に設置される遊技機（外枠９）の前後方向に沿ってスライド移動が可能となっている。これにより、押圧固定部材５３のスライド移動位置を調整することで、側壁面７４の前端部分である支持部７４ａが外枠９の上辺後端面を支持する位置、即ち、設置空間１０内における外枠９の傾斜角度を調整する。
【００３９】
その後は、取付ボルト５５の雄ネジ部８３をさらに捻じ込むことで、最終的に、押圧爪部７８が外枠９の上辺下面に刺し込まれながら当該上辺下面を上方に押し込む位置まで押圧固定部材５３を移動させ、これによって、押圧固定部材５３（押圧爪部７８）と取付部材５２の当接フランジ部７１との間で外枠９の上辺部分を挟持固定する。また、このとき、押圧固定部材５３のネジ穴７９に押圧ボルト５８を捻じ込むことで、当該押圧ボルト５８の先端部分でも外枠９の上辺下面を押え込む。これにより、外枠９が硬質プラスチック等の硬質材料から形成されて硬度の高い外枠９を上側遊技機固定装置５０で固定する場合でも、硬質な外枠９による押圧爪部７８の押し返し（のけ反り）を抑えることができ、強い押し込み力で外枠９を確実に固定することができる。
【００４０】
また、押圧固定部材５３の押圧爪部７８によって外枠９を下方から押圧して固定する際、押圧固定部材５３は、前述した下側遊技機固定装置２０の押圧固定部材２３と同様に、押圧爪部７８を介して外枠９の上辺下面から強い反力を受けることになるが、このような押圧爪部７８による押圧状態で、押圧固定部材５３の後壁面７６の当接部７６ａは、取付部材５２の上壁面７５と当接するようになっている。このため、押圧固定部材５３の一端部分である押圧爪部７８にかかる強い反力は、押圧固定部材５３の他端部分である当接部７６ａと当接する取付部材５２の上壁面７５で受けられるので、押圧固定部材５３が外枠９からの反力を受けて変形するという事態を回避することができる。
【００４１】
なお、上側遊技機固定装置５０は、下側遊技機固定装置２０とは反対に、取付部材５２、押圧固定部材５３、及び螺合部材５４が下側から上側に向けた各ボルト５５，５７の締結によって取付ベース５１の下方位置に取り付けられるようになっている。このため、押圧固定部材５３及び螺合部材５４は、それぞれ常時重力によって下方に付勢された状態で組み付けられることになる。従って、上側遊技機固定装置５０では、下側遊技機固定装置２０のようにコイルスプリング２７を設けなくても、押圧固定部材５３を常時下方に付勢することができるので、押圧爪部７８が設けられる押圧固定部材５３の先端側が自重によって当接フランジ部７１との間隔を狭める方向に移動しないようになっており、押圧爪部７８が外枠９の設置空間１０内への挿入を阻害しない。また、上側遊技機固定装置５０では、下側遊技機固定装置２０のようにコイルスプリング２８を設けなくても、螺合部材５４を常時下方に付勢して螺合部材５４の上壁面８１を取付部材５２の上壁面６７と当接させることができるので、ネジ穴８２に対する雄ネジ部８３の捻じ込みが解除された状態から雄ネジ部８３を捻じ込んで外枠９を固定する際でも、ネジ穴８２に対する雄ネジ部８３の捻じ込み操作を安定して行える。
【００４２】
また、上側遊技機固定装置５０の取付ボルト５５は、前述した下側遊技機固定装置２０の取付ボルト２５と同様に、その上端に取付ナット５６が取り付けられることで、ネジ穴８２に対する雄ネジ部８３の捻じ込みを緩め過ぎて、取付ボルト５５が抜き取られてしまう不具合を解消するようになっている。また、取付ボルト５５には、ネジ穴８２と螺合する雄ネジ部８３と取付ナット５６を螺着するための止めネジ部８５との間に無ネジ部８６が設けられているので、取付ボルト２５と同様に、雄ネジ部４３の下端（無ネジ部８６）が遊回転して一気に取付ボルト５５が抜けてしまうことがない。
【００４３】
また、以上説明した上側遊技機固定装置５０の構成によれば、押圧固定部材５３の押圧爪部７８との間で外枠９の上辺部分を挟持する当接フランジ部７１が取付部材５２に形成されている。このため、設置空間１０内への設置状態で上部島枠４との間で多少の隙間が生じる外枠９の上辺部分においても、上側遊技機固定装置５０を構成する取付部材５２と押圧固定部材５３との間での強い挟持力によって確実に外枠９の上辺部分を固定することができる。
【００４４】
以上のように、本実施形態の構成によれば、遊技機（外枠９）を設置空間１０内に設置する場合、先ず、取付ボルト２５（５５）の螺合部材２４（５４）に対する捻じ込み解除によって、押圧爪部３８（７８）が外枠９の押圧を解除する方向に押圧固定部材２３（５３）を移動させ、この状態で、外枠９を設置空間１０に対して前方から挿入して、外枠９の上辺部分又は下辺部分の後端面を押圧固定部材２３（５３）の支持部３４ａ（７４ａ）と当接させる。そして、この状態から、取付ボルト２５（５５）の螺合部材２４（５４）に対する捻じ込みによって、押圧爪部３８（７８）が外枠９を押圧する方向に押圧固定部材２３（５３）を移動させて、外枠９を設置空間１０に固定する。このとき、遊技機の傾斜角度は、外枠９の上辺部分又は下辺部分の後端面を支持する押圧固定部材２３（５３）の支持部３４ａ（７４ａ）の位置、言い換えれば、取付部材２２（５２）に対する押圧固定部材２３（５３）のスライド移動位置によって決定される。このため、遊技場側では、取付ボルト２５（５５）の捻じ込み操作によって押圧爪部３８（７８）が外枠９を押圧する方向に押圧固定部材２３（５３）を移動させる際、即ち、取付ボルト２５（５５）の螺合部材２４（５４）に対する捻じ込み解除状態から取付ボルト２５（５５）を捻じ込む際、当該取付ボルト２５（５５）を取付部材２２（５２）の挿通穴３１ａ（７０）に沿って移動させることで、押圧固定部材２３（５３）をスライド移動させて支持部３４ａ（７４ａ）の位置調整を行うことができる。従って、遊技機の傾斜角度を調整する作業としては、外枠９を設置空間１０に固定するために取付ボルト２５（５５）を捻じ込み操作する際、押圧固定部材２３（５３）をスライド移動させて支持部３４ａ（７４ａ）の位置を調整するだけでよいので、遊技機の傾斜角度を容易に調整することができる。
【００４５】
これに対して、遊技場に侵入して不正に遊技機の傾斜角度を変えるような場合には、取付部材２２（５２）に対する押圧固定部材２３（５３）のスライド移動位置を変更するために、取付ボルト２５（５５）の螺合部材２４（５４）に対する捻じ込みを解除する必要がある。しかしながら、取付ボルト２５（５５）の螺合部材２４（５４）に対する捻じ込みを一旦解除してしまうと、これに伴って、押圧爪部３８（７８）が外枠９の押圧を解除する方向に押圧固定部材２３（５３）を移動させることになり、結果として、下側遊技機固定装置２０（上側遊技機固定装置５０）による遊技機の固定状態を解除することになってしまう。このため、遊技機を固定した状態のまま遊技機の傾斜角度だけを変えるような簡単な作業とは違い、遊技機を固定する作業も行う必要があり大掛かりな作業が強いられることになる。従って、不正に遊技機の傾斜角度を変える作業を困難なものとすることができ、ひいては、遊技機の傾斜角度を不正に変える行為を防止することができる。
【００４６】
また、押圧固定部材２３（５３）の押圧爪部３８（７８）によって外枠９を押圧して固定する際、押圧固定部材２３（５３）は、押圧爪部３８（７８）を介して外枠９から強い反力を受けることになるが、このような押圧爪部３８（７８）による押圧状態で、押圧固定部材２３（５３）の当接部３６ａ（７６ａ）は、取付部材２２（５２）と当接する。このため、押圧固定部材２３（５３）の一端側の押圧爪部３８（７８）にかかる強い反力は、押圧固定部材２３（５３）の他端側の当接部３６ａ（７６ａ）と当接する取付部材２２（５２）で受けられるので、押圧固定部材２３（５３）が外枠９からの反力を受けて変形するという事態を回避することができる。
【００４７】
また、押圧固定部材２３（５３）を構成する左右の側壁面３４（７４）によって取付部材２２（５２）の側壁面３２（６６）を外嵌することで、押圧固定部材２３（５３）のスライド移動方向を規制することができる。このため、押圧固定部材２３（５３）をスライド移動させて支持部３４ａ（７４ａ）の位置調整を行う場合、即ち、遊技機の傾斜角度を調整する場合には、押圧固定部材２３（５３）を左右方向で傾いた状態でスライド移動させることを回避できる。従って、左右の側壁面３４（７４）の前端部分によって構成される支持部３４ａ（７４ａ）の位置が左右方向で傾くことがないので、遊技機の左右方向で傾斜角度が変わってしまうような不具合を回避することができる。
【００４８】
ところで、上記した実施形態は、遊技機の傾斜角度を変える場合、遊技機の固定状態を解除することで、遊技機の傾斜角度を不正に変える行為を防止する遊技機固定装置の構成を例示しているが、以下に示す第二実施形態の構成によって、遊技機の傾斜角度を不正に変える行為を防止するようにしてもよい。以下、第二実施形態における遊技機固定装置（上側遊技機固定装置１００）の構成について、図１０乃至図１２を参照して説明する。図１０（Ａ）は、第二実施形態における上側遊技機固定装置９０を示す斜視図であり、図１０（Ｂ）は第二実施形態における取付ベース１０１を除いた上側遊技機固定装置１００を示す斜視図である。図１１（Ａ）は、第二実施形態における上側遊技機固定装置１００を示す斜視図であり、図１１（Ｂ）は、第二実施形態における上側遊技機固定装置１００を示す分解斜視図である。図１２（Ａ）〜（Ｆ）は、それぞれ第二実施形態における上側遊技機固定装置１００によって外枠９の傾斜角度が調整される状態を示す側面図である。
【００４９】
なお、第二実施形態に示す上側遊技機固定装置１００の構成が本発明に係る遊技機固定装置を具現化したものを例示する。また、以下に示す第二実施形態では、外枠の上辺部分を固定する上側遊技機固定装置のみを例示しているが、これに限らず、外枠の下辺部分を固定する下側遊技機固定装置に本発明が適用できることはいうまでもない。また、以下の説明では、上側遊技機固定装置５０の説明と同様に、下側遊技機固定装置２０の各種構成部材２２〜２５の説明で用いた上下関係の表現（例えば、上壁面）を便宜的に用いて説明を行うものである。
【００５０】
図１０及び図１１に示すように、上側遊技機固定装置１００は、上部島枠４の後端部分にビス止めされる取付ベース１０１と、該取付ベース１０１に対してスライド移動可能に取り付けられる移動取付部材としてのスライド取付部材１０２と、外枠９の上辺部分の下面を上方に押圧して固定する押圧固定部材１０３と、該押圧固定部材１０３をスライド取付部材１０２に取り付ける螺合部材１０４、第１螺軸部材としての取付ボルト１０５、及び取付ナット１０６と、スライド取付部材１０２を取付ベース１０１に取り付けるための第２螺軸部材としての固定ボルト１０７と、押圧固定部材１０３に取り付けられて外枠９の上辺部分を押圧する押圧ボルト（図示しない）と、を備えている。
【００５１】
取付ベース１０１は、長板状の基板部１１０を備えた金属板が折曲されて形成されており、基板部１１０の前端側には、取付ベース１０１を上部島枠４の後端部分にビス止めするための取付穴１１１を穿設したビス止めフランジ部１１２が折曲形成されている。基板部１１０には、固定ボルト１０７によってスライド取付部材１０２を取付ベース１０１に固定するためのネジ穴１１３が穿設されている。また、基板部１１０の短手方向の両端には、それぞれスライド取付部材１０２の横幅方向の取付位置を規制するための規制フランジ部１１５が下方に折曲形成されている。即ち、左右一対の規制フランジ部１１５が形成された基板部１１０は、後述するスライド取付部材１０２の左右の側壁面１１６を内嵌する断面凹形状に形成されている。
【００５２】
スライド取付部材１０２は、金属板が折曲されて、左右の側壁面１１６、上壁面１１７、前壁面１１８、及び後壁面１１９を備えた形状に形成されている。上壁面１１７には、取付ボルト１０５を挿通するための挿通穴１２０が穿設されている。なお、上壁面１１７に穿設された挿通穴１２０は、前記実施形態の取付部材５２に穿設された長穴形状の挿通穴７０とは違い、取付ボルト１０５を丁度挿通し得る程度の円形状に形成されている。前壁面１１８の下端には、上側遊技機固定装置１００によって外枠９を固定する際に外枠９の上辺部分の上端面と当接する当接フランジ部１２１が形成されている。また、前壁面１１８は、上側遊技機固定装置１００によって外枠９を固定する際、当該外枠９の上辺部分の後端面と当接して支持する支持部を構成するようになっている。
【００５３】
一方、後壁面１１９の下端には、スライド取付部材１０２を取付ベース１０１に取り付けるための取付フランジ部１２２が形成されており、該取付フランジ部１２２には、固定ボルト１０７を挿通するための挿通穴１２３が穿設されている。そして、スライド取付部材１０２は、取付フランジ部１２２（挿通穴１２３）に挿通された固定ボルト１０７が、上部島枠４の後端部分にビス止めされた取付ベース１０１のネジ穴１１３に捻じ込まれることで、取付ベース１０１に取り付けられる。なお、取付フランジ部１２２に穿設された挿通穴１２３は、前記実施形態の取付フランジ部７２に穿設された挿通穴７３とは違い、長穴形状に形成されている。そして、スライド取付部材１０２の取り付け状態において、取付フランジ部１２２に穿設された長穴形状の挿通穴１２３は、その条設方向が設置空間１０に設置される遊技機（外枠９）の前後方向と並行になるように配される。
【００５４】
押圧固定部材１０３は、金属板が折曲されて、左右の側壁面１２４、上壁面１２５、及び後壁面１２６を備えた形状に形成されている。左右の側壁面１２４は、それぞれスライド取付部材１０２の左右の側壁面１１６を個々に外嵌する形状に形成されている。上壁面１２５には、取付ボルト１０５を取り付けるための取付穴１２７が穿設されている。また、上壁面１２５の前端側は、前方に延設されており、その先端部分は、下方にほぼ直角に折曲されて複数（実施形態中では、３つ）の押圧爪部１２８（押圧部）が形成されている。また、上壁面１２５の前側部分には、ボルト取付用のネジ穴１２９が穿設されている。このネジ穴１２９は、押圧ボルト（図示しない）の捻じ込みを可能にして、当該押圧ボルトの先端部分で外枠９の上辺下面を押え込むようになっている。一方、後壁面１２６は、側壁面１２４に比べて高さ寸法が長く設定されており、上側遊技機固定装置１００として組み付けられた状態で、後壁面１２６の下端部分（以下、これを当接部１２６ａという）は、押圧固定部材１０３による外枠９の上辺部分の押圧状態に応じてスライド取付部材１０２の取付フランジ部１２２の後端部分と当接するようになっている。即ち、押圧固定部材１０３は、被覆部としての左右の側壁面１２４、上壁面１２５、及び後壁面１２６によって、取付フランジ部１２２の固定ボルト１０７（厳密には、固定ボルト１０７の一端に一体的に設けられて当該固定ボルト１０７を回転操作するための操作部１０７ａ）を覆い隠すようにスライド取付部材１０２に取り付けられる。
【００５５】
螺合部材１０４は、左右の側壁面１３０及び上壁面１３１を備えた形状に金属板が折曲形成されて、スライド取付部材１０２の上壁面１１７と取付ベース１０１の基板部１１０との間の空間内に配置される。上壁面１３１には、取付ボルト１０５と螺合するネジ穴１３２が穿設されている。取付ボルト１０５は、螺合部材１０４のネジ穴１３２と螺合する雄ネジ部１３３と、該雄ネジ部１３３の上端に一体的に設けられて当該取付ボルト１０５を回転操作するための操作部１３４と、当該取付ボルト１０５の下端に設けられて取付ナット１０６を螺着する止めネジ部１３５と、該止めネジ部１３５と雄ネジ部１３３との間でネジ山が設けられない無ネジ部１３６と、を備えている。
【００５６】
そして、取付ボルト１０５が、押圧固定部材１０３の取付穴１２７及びスライド取付部材１０２の挿通穴１２０に順次挿通され、この状態から、取付ボルト１０５の止めネジ部１３５が、螺合部材１０４のネジ穴１３２、次いで、取付ナット１０６に螺合される。これにより、押圧固定部材１０３が、螺合部材１０４、取付ボルト１０５、及び取付ナット１０６によってスライド取付部材１０２に取り付けられて、上側遊技機固定装置１００が組み付けられる。
【００５７】
次に、以上説明した上側遊技機固定装置１００によって遊技機（外枠９）を設置空間１０内で傾斜角度の調整を可能に固定する手順について説明する。先ず、外枠９の上辺上面がスライド取付部材１０２の当接フランジ部１２１と当接された状態で設置空間１０内に外枠９が挿入されると、スライド取付部材１０２の取付フランジ部１２２（挿通穴１２３）に取り付けられた固定ボルト１０７を、取付ベース１０１のネジ穴１１３に捻じ込むことで、スライド取付部材１０２を取付ベース１０１に取り付ける。なお、このとき、固定ボルト１０７を完全に捻じ込む前に、取付ベース１０１に対するスライド取付部材１０２のスライド移動位置を調整することで、スライド取付部材１０２の前壁面１１８が外枠９の上辺後端面と当接する位置、即ち、設置空間１０内における外枠９の傾斜角度を調整し、このような傾斜角度の調整が完了した時点で固定ボルト１０７を完全に捻じ込んでスライド取付部材１０２を取付ベース１０１に固定する。
【００５８】
そして、取付ボルト１０５の雄ネジ部１３３を螺合部材１０４のネジ穴１３２に捻じ込むことで、重力に抗して押圧固定部材１０３をスライド取付部材１０２に近づく方向（上方向）に移動し、最終的に、押圧爪部１２８が外枠９の上辺下面に刺し込まれながら当該上辺下面を上方に押し込む位置まで押圧固定部材１０３を移動させ、これによって、押圧固定部材１０３（押圧爪部１２８）とスライド取付部材１０２の当接フランジ部１２１との間で外枠９の上辺部分を挟持固定する。また、このとき、押圧固定部材１０３のネジ穴１２９に押圧ボルト５８を捻じ込むことで、当該押圧ボルト５８の先端部分でも外枠９の上辺下面を押え込む。これにより、外枠９が硬質プラスチック等の硬質材料から形成されて硬度の高い外枠９を上側遊技機固定装置１００で固定する場合でも、硬質な外枠９による押圧爪部１２８の押し返し（のけ反り）を抑えることができ、強い押し込み力で外枠９を確実に固定することができる。
【００５９】
また、押圧固定部材１０３の押圧爪部１２８によって外枠９を下方から押圧して固定する際、押圧固定部材１０３は、前述した上側遊技機固定装置５０の押圧固定部材５３と同様に、押圧爪部１２８を介して外枠９の上辺下面から強い反力を受けることになるが、このような押圧爪部１２８による押圧状態で、押圧固定部材１０３の後壁面１２６の当接部１２６ａは、スライド取付部材１０２の取付フランジ部１２２と当接するようになっている。このため、押圧固定部材１０３の一端部分である押圧爪部１２８にかかる強い反力は、押圧固定部材１０３の他端部分である当接部１２６ａと当接するスライド取付部材１０２の取付フランジ部１２２で受けられるので、押圧固定部材１０３が外枠９からの反力を受けて変形するという事態を回避することができる。
【００６０】
次に、上記した上側遊技機固定装置１００によって固定された遊技機（外枠９）の傾斜角度を調整する手順について、図１２を参照して説明する。先ず、図１２（Ａ）に示すように、取付ボルト１０５の捻じ込みによって押圧固定部材１０３をスライド取付部材１０２に近づく方向（上方向）に移動させ、押圧爪部１２８で外枠９の上辺下面を上方に押し込んだ状態から、図１２（Ｂ）に示すように、一旦、取付ボルト１０５の捻じ込みを解除して、押圧固定部材１０３をスライド取付部材１０２から遠ざかる方向（下方向）に移動させる。これにより、押圧爪部１２８による外枠９の押圧状態は解除される。その後、図１２（Ｃ）に示すように、取付ボルト１０５を中心として押圧固定部材１０３をほぼ９０度回転させる。これにより、押圧爪部１２８による外枠９の押圧状態（図１２（Ａ）の状態）で、押圧固定部材１０３の側壁面１２４、上壁面１２５、及び後壁面１２６によって覆い隠されていた固定ボルト１０７の操作部１０７ａが完全に外部に露出され、当該操作部１０７ａの操作、即ち、固定ボルト１０７の捻じ込み解除操作が可能となる。
【００６１】
そして、固定ボルト１０７の捻じ込みを解除することで、図１２（Ｄ）に示すように、スライド取付部材１０２を取付ベース１０１に対して前後方向にスライド移動させる。このとき、押圧固定部材１０３は、スライド取付部材１０２と一体的にスライド移動する。また、スライド取付部材１０２の前壁面１１８は、外枠９の上辺後端面との当接状態が維持され、これに伴って、外枠９の上辺後端面の位置、即ち、設置空間１０内における外枠９の傾斜角度が調整される。その後は、図１２（Ｅ）に示すように、取付ボルト１０５を中心として押圧固定部材１０３をほぼ９０度逆回転させ、次いで、図１２（Ｆ）に示すように、取付ボルト１０５の捻じ込みによって押圧固定部材１０３をスライド取付部材１０２に近づく方向（上方向）に移動させ、押圧爪部１２８で外枠９の上辺下面を上方に押し込んだ状態、即ち、上側遊技機固定装置１００によって外枠９を固定した状態に戻す。
【００６２】
次に、第三実施形態における上側遊技機固定装置１４０及び下側遊技機固定装置２００について、図１３乃至図２１を参照して説明する。図１３は、第三実施形態における上側遊技機固定装置１４０と賞球補給装置１４がスライド調整機構１８０を介して上部島枠４に取り付けられた状態を示す上方からの斜視図である。図１４は、第三実施形態における上側遊技機固定装置１４０と賞球補給装置１４がスライド調整機構１８０を介して上部島枠４に取り付けられた状態を示す下方からの斜視図である。図１５（Ａ）は、第三実施形態における取付ベース１４１を除いた上側遊技機固定装置１４０を示す上方からの斜視図であり、図１５（Ｂ）は、第三実施形態における取付ベース１４１を除いた上側遊技機固定装置１４０を示す下方からの斜視図である。図１６（Ａ）は、第三実施形態における上側遊技機固定装置１４０及びスライド調整機構１８０を示す縦断面図であり、図１６（Ｂ）は、第三実施形態におけるスライド調整機構１８０を示す縦断面図である。図１７は、第三実施形態における下側遊技機固定装置２００とアウト玉箱１２がスライド調整機構１８０を介して下部島枠５に取り付けられた状態を示す斜視図である。図１８（Ａ）は、第三実施形態における下側遊技機固定装置２００を示す斜視図であり、図１８（Ｂ）は、第三実施形態における下側遊技機固定装置２００を示す分解斜視図である。図１９（Ａ），（Ｂ）は、それぞれ第三実施形態における下側遊技機固定装置２００を示す縦断面図である。図２０は、第三実施形態における下側遊技機固定装置２００が隅角補強金具９ａを備えた外枠９を固定した状態を示す斜視図である。図２１は、第三実施形態における下側遊技機固定装置２００が取替え用の押圧固定部材２３０によって隅角補強金具９ａを備えた外枠９を固定した状態を示す斜視図である。
【００６３】
第三実施形態における上側遊技機固定装置１４０は、図１３及び図１４に示すように、賞球補給装置１４と共にスライド調整機構１８０を介して上部島枠４に取り付けられる。なお、賞球補給装置１４は、補給樋から送り込まれるパチンコ玉を分岐装置及びスプリングホース（共に図示しない）を介して受け入れて、各遊技機の背面上部に設けられる賞球タンクに供給するものであり、金属板からなる支持基板１５、該支持基板１５に固着されると共にパチンコ玉を一列に整列して流下させる整列通路１６、該整列通路１６と連通すると共にその先端が賞球タンク内に臨む補給筒（図示しない）、該補給筒との間で二又状に形成された作動腕１７、等の各種構成部材から構成されている。また、スライド調整機構１８０は、賞球補給装置１４及び上側遊技機固定装置１４０をそれぞれ上部島枠４に対してスライド調整可能に固定するものであり、その詳細については後述する。
【００６４】
上側遊技機固定装置１４０は、図１５及び図１６に示すように、スライド調整機構１８０に取り付けられる取付ベース１４１と、該取付ベース１４１に一体的に取り付け固定される取付部材１４２と、外枠９の上辺部分の下面を上方に押圧して固定する押圧固定部材１４３と、該押圧固定部材１４３を取付部材１４２に対してスライド移動可能に取り付ける螺合部材１４４及び取付ボルト１４５と、取付部材１４２内に配置されて螺合部材１４４を付勢するコイルスプリング１４６と、取付部材１４２を取付ベース１４１に取り付け固定するための固定ボルト１４７と、押圧固定部材１４３に取り付けられて外枠９の上辺部分を押圧する押圧ボルト１４８と、を備えている。なお、以下に示す上側遊技機固定装置１４０における各種構成部材の説明においても、前述した上側遊技機固定装置５０と同様に、下側遊技機固定装置２０の各種構成部材の説明で用いた上下関係の表現（例えば、上壁面）を便宜的に用いて説明を行うものである。
【００６５】
取付ベース１４１は、長板状の基板部１５０を備えた金属板が折曲されて形成されており、基板部１５０の前端側には、取付ベース１４１を上部島枠４に設けられるスライド調整機構１８０に取り付けるための取付穴１５１を穿設した取付フランジ部１５２が折曲形成されている。基板部１５０には、固定ボルト１４７によって取付部材１４２を取付ベース１４１に固定するためのネジ穴１５３，１５４が前後２箇所に穿設されている。なお、固定ボルト１４７は、ネジ穴１５３，１５４のいずれか一方と螺合することで取付部材１４２を取付ベース１４１に固定するものである。また、基板部１５０の短手方向の両端には、それぞれ取付部材１４２の横幅方向の取付位置を規制するための規制フランジ部１５５が下方に折曲形成されている（図１３及び図１４参照）。即ち、左右一対の規制フランジ部１５５が形成された基板部１５０は、後述する取付部材１４２の左右の側壁面１５６を内嵌する断面凹形状に形成されている。
【００６６】
取付部材１４２は、金属板が折曲されて、左右の側壁面１５６、上壁面１５７、前壁面１５８、及び後壁面１５９を備えた形状に形成されている。上壁面１５７には、取付ボルト１４５を挿通するための挿通穴１６０が長穴形状に穿設されている。前壁面１５８の下端には、上側遊技機固定装置１４０によって外枠９を固定する際に外枠９の上辺部分の上端面と当接する当接フランジ部１６１が形成されている。一方、後壁面１５９の下端には、取付部材１４２を取付ベース１４１に取り付けるための取付フランジ部１６２が形成されており、該取付フランジ部１６２には、固定ボルト１４７を挿通するための挿通穴１６３が穿設されている。そして、取付部材１４２は、取付フランジ部１６２（挿通穴１６３）に挿通された固定ボルト１４７が、上部島枠４の後端部分にビス止めされた取付ベース１４１のネジ穴１５３，１５４のいずれか一方に捻じ込まれることで、取付ベース１４１に一体的に取り付け固定される。なお、このような取付部材１４２の取り付け状態において、上壁面１５７に穿設された長穴形状の挿通穴１６０は、その条設方向が設置空間１０に設置される遊技機（外枠９）の前後方向と並行になるように配される。
【００６７】
押圧固定部材１４３は、金属板が折曲されて、左右の側壁面１６４、上壁面１６５、及び後壁面１６６を備えた形状に形成されている。左右の側壁面１６４は、それぞれ取付部材１４２の左右の側壁面１５６を個々に外嵌する形状に形成されており、その前端部分は、設置空間１０に設置される外枠９の上辺部分の後端面と当接して該後端面を支持する支持部１６４ａを構成している。上壁面１６５の後側部分には、取付ボルト１４５を取り付けるための取付穴１６７が穿設されている。一方、上壁面１６５の前端側は、前方に延設されており、その先端部分は、下方にほぼ直角に折曲されて複数（実施形態中では、３つ）の押圧爪部１６８（押圧部）が形成されている。また、上壁面１６５の前側部分には、ボルト取付用のネジ穴（図示しない）が穿設されている。このネジ穴は、押圧ボルト１４８の捻じ込みを可能にして、当該押圧ボルト１４８の先端部分で外枠９の上辺下面を押え込むようになっている。後壁面１６６は、側壁面１６４に比べて高さ寸法が短く設定されている。このため、押圧固定部材１４３を取付部材１４２に取り付けた状態で、後壁面１６６が取付部材１４２を外嵌することはなく、後壁面１６６の下端部分（以下、これを当接部１６６ａという）は、押圧固定部材１４３による外枠９の上辺部分の押圧状態に応じて取付部材１４２の上壁面１５７と当接するようになっている。
【００６８】
螺合部材１４４は、前壁面１６９、後壁面１７０、及び上壁面１７１を備えた形状に金属板が折曲形成されて、取付部材１４２の上壁面１５７と取付ベース１４１の基板部１５０との間の空間内に配置される。上壁面１７１には、取付ボルト１４５と螺合するネジ穴１７２が穿設されている。取付ボルト１４５は、螺合部材１４４のネジ穴１７２と螺合する雄ネジ部１７３と、該雄ネジ部１７３の上端に一体的に設けられて当該取付ボルト１４５を回転操作するための操作部１７４と、を備えている。そして、取付ボルト１４５の雄ネジ部１７３が、押圧固定部材１４３の取付穴１６７及び取付部材１４２の挿通穴１６０に順次挿通され、この状態から、螺合部材１４４のネジ穴１７２に螺合される。これにより、押圧固定部材１４３が、螺合部材１４４及び取付ボルト１４５によって取付部材１４２に取り付けられて、上側遊技機固定装置１４０が組み付けられる。
【００６９】
なお、上側遊技機固定装置１４０の取付ボルト１４５は、前述した上側遊技機固定装置５０の取付ボルト５５とは異なり、取付ボルトの下端に設けられて取付ナットを螺着する止めネジ部と、該止めネジ部と雄ネジ部との間でネジ山が設けられない無ネジ部と、を備えない構成となっているが、これに限定するものではなく、取付ボルト５５と同様に、止めネジ部及び無ネジ部を備えるものであってもよい。また、コイルスプリング１４６は、その一端が取付部材１４２の後壁面１５９と当接する一方、他端が螺合部材１４４の後壁面１７０と当接するように取付部材１４２内に配置されて、螺合部材１４４を常時前方に付勢するようになっている。
【００７０】
次に、上記した上側遊技機固定装置１４０及び賞球補給装置１４をそれぞれ上部島枠４に対してスライド調整可能に固定するスライド調整機構１８０について説明する。なお、以下の説明では、便宜的に、上側遊技機固定装置１４０をスライド調整可能に固定するスライド調整機構１８０についてのみ説明を行う。スライド調整機構１８０は、図１６（Ａ），（Ｂ）に示すように、上部島枠４にビス止めされるスライドベース１８１と、上側遊技機固定装置１４０を構成する取付ベース１４１の取付フランジ部１５２に蝶ボルト１８２で取り付け固定されるスペーサ１８３及びスライド板１８４と、該スライド板１８４に取り付けられる蝶ボルト１８５及びワッシャー１８６と、から構成されている。
【００７１】
スライドベース１８１は、断面が「Ｌ」字状に形成されると共に、その全長が外枠９の横幅寸法とほぼ同一に設定されている。上部島枠４の上端面と面接触して固定されるスライドベース１８１の上壁片１８７には、ビス止め用の取付穴１８８が複数穿設され、スライドベース１８１の側壁片１８９には、スペーサ１８３及びスライド板１８４と係合するスライド溝１９１が上下一対の溝形成壁１９０によってスライドベース１８１の全長に亘って条設されている。
【００７２】
スペーサ１８３は、ほぼ正方形状の平板からなり、その平板面には蝶ボルト１８２と螺合するネジ穴１９２が穿設されている。一方、スライド板１８４は、スペーサ１８３に比べて若干大きめとなる横長方形状の平板からなり、その平板面には蝶ボルト１８２，１８５と個々に螺合するネジ穴１９３，１９４が長手方向に沿って穿設されている。そして、スペーサ１８３及びスライド板１８４は、それぞれネジ穴１９２，１９３を介して蝶ボルト１８２で取付ベース１４１の取付フランジ部１５２（取付穴１５１）に取り付け固定される。また、スペーサ１８３の横長寸法は、取付フランジ部１５２の横幅寸法とほぼ同一に設定されており、スライド板１８４の横長寸法は、取付フランジ部１５２の横幅寸法に比べて長めに設定されている。このため、スペーサ１８３は、取付フランジ部１５２の左右両側端から突出することなく取付ベース１４１に固定される。これに対して、スライド板１８４は、取付ベース１４１との間にスペーサ１８３を挟持した状態で且つその一端側（ネジ穴１９４が穿設された側）が取付フランジ部１５２の一側端から突出した状態で固定される。そして、取付フランジ部１５２から突出したスライド板１８４の一端側部分（ネジ穴１９４が穿設された部分）は、蝶ボルト１８５及びワッシャー１８６の取付部１９５を構成するようになっている。
【００７３】
しかして、上記したスライド調整機構１８０を構成するスライドベース１８１は、遊技島台１に設置される各遊技機毎に各取付穴１８８を介して上部島枠４にビス止めして取り付けられる。次いで、このように上部島枠４に固定されたスライドベース１８１のスライド溝１９１に、上側遊技機固定装置１４０の取付ベース１４１が蝶ボルト１８２で固定されたスライド調整機構１８０のスペーサ１８３及びスライド板１８４を側方からスライド挿入することで、上側遊技機固定装置１４０が上部島枠４に固定されたスライドベース１８１に対してスライド可能に取り付けられる。そして、遊技機を構成する外枠９の上辺部分を固定する位置に上側遊技機固定装置１４０をスライド移動させ、この状態でスライド板１８４の取付部１９５に取り付けられた蝶ボルト１８５を締め付ける。これにより、スライド板１８４とワッシャー１８６との間で、スライド溝１９１を形成するスライドベース１８１の溝形成壁１９０を挟持することになり、結果として、上側遊技機固定装置１４０が外枠９を固定する所望の位置に固定される。
【００７４】
なお、以上説明した上側遊技機固定装置１４０による遊技機（外枠９）の固定方法は、前述した上側遊技機固定装置５０と同様であるので、便宜的にその説明を省略する。但し、上側遊技機固定装置１４０は、上側遊技機固定装置５０とは異なり、取付部材１４２内に配置されて螺合部材１４４を前方に付勢するコイルスプリング１４６を備えた構成となっている。このため、取付ボルト１４５を介して螺合部材１４４と一体的に取り付けられる押圧固定部材１４３も同様に、コイルスプリング１４６の弾性力によって前方に付勢されるようになっている。
【００７５】
従って、上側遊技機固定装置１４０で遊技機（外枠９）を固定する場合、外枠９の上辺部分の後端面を支持する押圧固定部材１４３の支持部１６６ａは、常に外枠９の上辺部分を前方に押圧する方向、言い換えれば、外枠９の上辺部分の後端面との隙間をなくす方向に移動することになる。その結果、押圧固定部材１４３の支持部１６６ａと外枠９の上辺部分の後端面とを密着させることで、外枠９を確実に支持した状態で上側遊技機固定装置１４０による遊技機（外枠９）の固定を行うことができる。なお、このように螺合部材を前方に付勢するコイルスプリングを備えた上側遊技機固定装置の構成は、第三実施形態に限定するものではなく、前述した第一又は第二の実施形態に適用することで、同様の効果を奏するようにしてもよい。
【００７６】
なお、遊技機の固定作業をやり慣れない作業員の場合、押圧固定部材１４３の支持部１６６ａと外枠９の上辺部分の後端面との間で隙間が生じてしまい、外枠９の支持状態が不安定のまま遊技機を固定してしまうようなこともあり得るが、上記した構成であれば、固定作業の熟練度合いに関わらず確実な支持状態で遊技機を固定することができる。また、コイルスプリング１４６の弾性力によって押圧固定部材１４３を前方に付勢する構成とすることで、遊技機を固定していない状態で、常に押圧固定部材１４３をスライド移動可能な最前方位置に移動させておくことができる。このため、設置空間１０への遊技機の取り付け及び取り外し作業毎で押圧固定部材１４３を後方位置から前方に戻すような些細な作業が不要になる。
【００７７】
一方、第三実施形態における下側遊技機固定装置２００は、図１７に示すように、アウト玉箱１２と共にスライド調整機構１８０を介して下部島枠５に取り付けられる。なお、スライド調整機構１８０は、前述した上側遊技機固定装置１４０を上部島枠４に対してスライド調整可能に固定するものと同様であり、便宜的に同一の構成部材については同一の符号を付すと共にその詳細な説明を省略して以下の説明を行う。
【００７８】
下側遊技機固定装置２００は、図１８及び図１９に示すように、スライド調整機構１８０に取り付けられる取付ベース２０１と、該取付ベース２０１と一体的にスライド調整機構１８０に取り付けられる取付部材２０２と、外枠９の下辺部分の上面を下方に押圧して固定する押圧固定部材２０３と、該押圧固定部材２０３を取付部材２０２に対してスライド移動可能に取り付ける螺合部材２０４、取付ボルト２０５、及び取付ナット２０６と、３つのコイルスプリング２０７，２０８，２０９と、押圧固定部材２０３に取り付けられて外枠９の下辺部分を押圧する押圧ボルト（図示しない）と、を備えている。
【００７９】
取付ベース２０１は、ほぼ正方形状の金属板からなり、その四隅部分の近傍にはそれぞれ取付ベース２０１をスライド調整機構１８０のスペーサ１８３及びスライド板１８４にビス止めするための取付穴２１０が穿設されている。但し、実際にビス止めされる取付穴２１０は、取付ベース２０１の前端側に穿設された２つの取付穴２１０である。取付部材２０２は、金属板が折曲されて、上壁面２１１、左右の側壁面２１２ａ、及び後壁面２１２ｂを備えた形状に形成されている。上壁面２１１には、取付ボルト２０５を挿通するための挿通穴２１１ａが長穴形状に穿設されている。左右の側壁面２１２ａの下端には、それぞれ取付部材２０２を取付ベース２０１上に取り付けるための取付フランジ部２１３が形成されており、該取付フランジ部２１３には、取付ベース２０１に穿設された４つの取付穴２１０と個々に対応する取付穴２１３ａが穿設されている。そして、取付ベース２０１及び取付部材２０２は、それぞれ各取付穴２１０，２１３ａを介してスライド調整機構１８０のスペーサ１８３及びスライド板１８４に一体的にビス止めして取り付けられる。なお、取付部材２０２は、長穴形状をなす挿通穴２１１ａの条設方向が設置空間１０に設置される遊技機（外枠９）の前後方向と並行になるように取り付けられる。
【００８０】
押圧固定部材２０３は、金属板が折曲されて、左右の側壁面２１４、上壁面２１５、及び後壁面２１６を備えた形状に形成されている。左右の側壁面２１４は、それぞれ取付部材２０２の左右の側壁面２１２ａを個々に外嵌する形状に形成されており、その前端部分は、設置空間１０に設置される外枠９の下辺部分の後端面と当接して該後端面を支持する支持部２１４ａを構成している。上壁面２１５の後側部分には、取付ボルト２０５を取り付けるための取付穴２１７が穿設されている。一方、上壁面２１５の前端側は、前方に延設されており、その先端部分は、下方にほぼ直角に折曲されて複数（実施形態中では、３つ）の押圧爪部２１８（押圧部）が形成されている。また、上壁面２１５の前側部分には、ボルト取付用のネジ穴２１９が穿設されている。このネジ穴２１９は、押圧ボルト（図示しない）の捻じ込みを可能にして、当該押圧ボルトの先端部分で外枠９の下辺上面を押え込むようになっている。後壁面２１６は、側壁面２１４に比べて高さ寸法が短く設定されている。このため、押圧固定部材２０３を取付部材２０２に取り付けた状態で、後壁面２１６が取付部材２０２を外嵌することはなく、後壁面２１６の下端部分（以下、これを当接部２１６ａという）は、押圧固定部材２０３による外枠９の下辺部分の押圧状態に応じて取付部材２０２の上壁面２１１と当接するようになっている。
【００８１】
螺合部材２０４は、前壁面２２０ａ、後壁面２２０ｂ、及び上壁面２２１を備えた形状に金属板が折曲形成されて、取付部材２０２の上壁面２１１と取付ベース２０１との間の空間内に配置される。上壁面２２１には、取付ボルト２０５と螺合するネジ穴２２２が穿設されている。なお、螺合部材２０４の上壁面２２１と取付ベース２０１との間には、コイルスプリング２０８が配置される。これにより、螺合部材２０４は、コイルスプリング２０８の弾性力によって、上壁面２２１が取付部材２０２の上壁面２１１と当接するように常時付勢されるようになっている。また、螺合部材２０４の後壁面２２０ｂと取付部材２０２の後壁面２１２ｂとの間には、コイルスプリング２０９が配置される。これにより、螺合部材２０４は、コイルスプリング２０９の弾性力によって、常時前方に付勢されるようになっている。取付ボルト２０５は、螺合部材２０４のネジ穴２２２と螺合する雄ネジ部２２３と、該雄ネジ部２２３の上端に一体的に設けられて当該取付ボルト２０５を回転操作するための操作部２２４と、当該取付ボルト２０５の下端に設けられて取付ナット２０６を螺着する止めネジ部２２５と、該止めネジ部２２５と雄ネジ部２２３との間でネジ山が設けられない無ネジ部２２６と、を備えている。
【００８２】
そして、取付ボルト２０５が、押圧固定部材２０３の取付穴２１７、コイルスプリング２０７、及び取付部材２０２の挿通穴２１１ａに順次挿通され、この状態から、下端部分の止めネジ部２２５が、螺合部材２０４のネジ穴２２２、次いで、取付ナット２０６に螺合される。これにより、押圧固定部材２０３が、螺合部材２０４、取付ボルト２０５、及び取付ナット２０６によって取付部材２０２に取り付けられて、下側遊技機固定装置２００が組み付けられる。また、このような下側遊技機固定装置２００の組み付けによって、押圧固定部材２０３の上壁面２１５と取付部材２０２の上壁面２１１との間には、コイルスプリング２０７が配置されることになり、該コイルスプリング２０７は、上壁面２１５が取付ボルト２０５の操作部２２４と当接するように押圧固定部材２０３を常時付勢する。一方、螺合部材２０４と取付ベース２０１との間に配置されたコイルスプリング２０８は、前述したように上壁面２２１が取付部材２０２の上壁面２１１と当接するように螺合部材２０４を常時付勢する。また、螺合部材２０４の後壁面２２０ｂと取付部材２０２の後壁面２１２ｂとの間に配置されたコイルスプリング２０９は、螺合部材２０４を常時前方に付勢する。また、取付ボルト２０５の下端部分となる止めネジ部２２５が螺合された取付ナット２０６は、螺合部材２０４と取付ベース２０１との間に配置されたコイルスプリング２０８の内部空間に挿入した状態となる。
【００８３】
また、上記した下側遊技機固定装置２００は、前述した上側遊技機固定装置１４０と同様に、スライド調整機構１８０を介して下部島枠５に取り付けられる。具体的な取り付け方法としては、下側遊技機固定装置２００の取付ベース２０１及び取付部材２０２をスライド調整機構１８０のスペーサ１８３及びスライド板１８４にビス止めして、当該スペーサ１８３及びスライド板１８４を下部島枠５に固定されたスライドベース１８１のスライド溝１９１に側方からスライド挿入する。そして、遊技機を構成する外枠９の下辺部分を固定する位置に下側遊技機固定装置２００をスライド移動させ、この状態でスライド板１８４の取付部１９５に取り付けられた蝶ボルト１８５を締め付ける。これにより、スライド板１８４とワッシャー１８６との間で、スライド溝１９１を形成するスライドベース１８１の溝形成壁１９０を挟持することになり、結果として、下側遊技機固定装置２００が外枠９を固定する所望の位置に固定される。
【００８４】
なお、以上説明した下側遊技機固定装置２００による遊技機（外枠９）の固定方法は、前述した下側遊技機固定装置２０と同様であるので、便宜的にその説明を省略する。但し、下側遊技機固定装置２００は、下側遊技機固定装置２０とは異なり、取付部材２０２内に配置されて螺合部材２０４を前方に付勢するコイルスプリング２０９を備えた構成となっている。このため、取付ボルト２０５を介して螺合部材２０と一体的に取り付けられる押圧固定部材２０３も同様に、コイルスプリング２０９の弾性力によって前方に付勢されるようになっている。
【００８５】
従って、下側遊技機固定装置２００においても前述した上側遊技機固定装置１４０と同様に、遊技機（外枠９）を固定する場合、外枠９の下辺部分の後端面を支持する押圧固定部材２０３の支持部２１４ａは、常に外枠９の下辺部分を前方に押圧する方向、言い換えれば、外枠９の下辺部分の後端面との隙間をなくす方向に移動することになり、結果として、外枠９を確実に支持した状態で下側遊技機固定装置２００による遊技機（外枠９）の固定を行うことができ、さらには、設置空間１０への遊技機の取り付け及び取り外し作業毎で押圧固定部材２０３を後方位置から前方に戻すような些細な作業が不要になる。なお、このように螺合部材を前方に付勢するコイルスプリングを備えた下側遊技機固定装置の構成は、第三実施形態に限定するものではなく、前述した第一又は第二の実施形態に適用することで、同様の効果を奏するようにしてもよい。
【００８６】
ところで、上記したようにスライド調整機構１８０を介して上部島枠４に下側遊技機固定装置２００を取り付けることで、下側遊技機固定装置２００を上部島枠４に対してスライド調整可能に設ける構成は、隅角部分に補強金具９ａを備えたタイプの外枠９に対応した遊技機の固定を可能にする。具体的には、図２０に示すように、矩形状に組み付けられる外枠９の強度を向上するために、Ｌ字状に折曲された補強金具９ａを隅角部分に設けた外枠９の場合、下側遊技機固定装置２００が外枠９の隅角側に位置すると、押圧固定部材２０３の押圧爪部２１８が補強金具９ａの下辺上面を押圧することになり、押圧爪部２１８による外枠９の押し込みが弱まってしまう。そこで、スライド調整機構１８０によって補強金具９ａと干渉しない位置に下側遊技機固定装置２００をスライド移動させることで、押圧爪部２１８による外枠９の押し込みを強固に行うことができる。
【００８７】
また、上記したような補強金具９ａを備えた外枠９の構成において、図２１に示すように、アウト玉箱１２の固定位置あるいは大きさによって下側遊技機固定装置２００のスライド移動が規制されてしまい、押圧固定部材２０３の押圧爪部２１８が補強金具９ａと干渉してしまうような場合には、下側遊技機固定装置２００の押圧固定部材２０３を押圧固定部材２３０に取り替えることで、補強金具９ａとの干渉を回避するようにしてもよい。押圧固定部材２３０の上壁面２１５の前端側は、押圧固定部材２０３と同様に、前方に延設されるが、その延設形状（以下、これを延設部２３１という）が押圧固定部材２０３と異なっている。具体的に、押圧固定部材２３０の延設部２３１は、上壁面２１５から前方に向けて延設された後、その延設部分の一側端（外枠９の中央側となる側端）から側方に向けて延設されることで、ほぼＬ字状の形状に形成されている。そして、延設部２３１において側方に向けて延設された部分の前端には、下方にほぼ直角に折曲された複数の押圧爪部２３２が形成されている。
【００８８】
しかして、押圧固定部材２３０を備えた下側遊技機固定装置２００は、アウト玉箱１２の固定位置によってスライド移動が規制されてしまい、押圧固定部材２３０が外枠９の横幅方向において補強金具９ａと重なり合う位置となってしまう場合でも、延設部２３１が外枠９の中央側に向けて折曲されたＬ字状に形成されることで、該延設部２３１の前端の押圧爪部２３２が補強金具９ａとの干渉を避けた位置で外枠９の押し込みを強固に行うようになっている。
【００８９】
なお、図２１中には、外枠９の下辺部分を固定する左右一対の下側遊技機固定装置２００のうち、外枠９の裏面側から見た右側の押圧固定部材２３０を図示しており、これに伴って同図中には、延設部２３１が前方に向かうにつれて左方向に折曲されたものを図示しているが、外枠９の裏面側から見た左側の押圧固定部材２３０においては、延設部２３１が前方に向かうにつれて右方向に折曲されたものとなる。また、以上説明した補強金具９ａを備えた外枠９に対応する構成は、下側遊技機固定装置２００に限定するものではなく、前述した上側遊技機固定装置１４０においても同様に、スライド調整機構１８０によって外枠９の上方隅角部に取り付けられる補強金具９ａと干渉しない位置に上側遊技機固定装置１４０をスライド移動させることで、押圧爪部１６８による外枠９の押し込みを強固に行うことができる。さらに、賞球補給装置１４の固定位置あるいは大きさによってスライド移動が規制されてしまう場合でも、外枠９の中央側に向けて折曲されたＬ字状の延設部２３１を備えた押圧固定部材２３０に取り替えることで、補強金具９ａとの干渉を避けた位置で外枠９の押し込みを強固に行うことができる。
【００９０】
次に、他の実施形態における間仕切り３００の構成について、図２２及び図２３を参照して説明する。図２２は、他の実施形態における間仕切り３００が取り付けられた遊技島台１’を示す正面斜視図である。図２３は、（Ａ），（Ｂ）は、それぞれ他の実施形態における間仕切り３００を示す側面図である。なお、以下の説明では、前述した遊技島台１と同様の構成については、同一の符号を付すと共にその詳細な説明を省略する。
【００９１】
図２２に示すように、遊技島台１’には、遊技島台１と同様に、複数の遊技機（図示しない）を取り付けるための上部島枠４及び下部島枠５が設けられ、この上部島枠４と下部島枠５との間には、各遊技機間で所定の間隔を設けるための間仕切り３００が玉貸機２と隣接して設けられている。なお、下部島枠５の後側上面には、アウト玉箱１２等を取り付ける支承板７が一体的に設けられている。
【００９２】
間仕切り３００は、図２３（Ａ），（Ｂ）に示すように、縦長方形状の被覆板部材３０１と、該被覆板部材３０１を各島枠４，５間に着脱自在に取り付ける上下一対の取付金具３０２，３０３と、を備えている。被覆板部材３０１の上端側には、当該被覆板部材３０１を上側の取付金具３０２にビス３０４及びワッシャー３０５で取り付けるための取付穴３１０が穿設される一方、被覆板部材３０１の下端裏面には、下側の取付金具３０３と係合する係合凹部３１１が設けられている。被覆板部材３０１のほぼ中央位置には、被覆板部材３０１の長手方向に沿って伸びる縦長の開口３１２が穿設されており、該開口３１２の裏面側には、その裏面空間（以下、これを収納空間３１３ａという）を全体的に被覆するように所定の奥行き寸法で収納空間形成部３１３が設けられている。また、被覆板部材３０１の表面側における開口３１２の上方位置には、当該被覆板部材３０１を着脱操作するための取手部３１４が設けられている。
【００９３】
被覆板部材３０１を着脱自在に取り付ける取付金具３０２，３０３は、それぞれＬ字状に折曲形成されている。このうち上側の取付金具３０２は、当該取付金具３０２を上部島枠４にビス３０６で取り付けるための取付穴３１５が一辺部分に穿設されており、取付金具３０２の他辺部分には、被覆板部材３０１をビス３０４及びワッシャー３０５で取り付けるためのネジ穴３１６が穿設されている。一方、下側の取付金具３０３は、当該取付金具３０３を下部島枠５上の支承板７にビス３０７で取り付けるための取付穴３１７が一辺部分に穿設されており、取付金具３０３の他辺部分は、被覆板部材３０１の係合凹部３１１と係合する係合凸部３１８として形成されている。
【００９４】
そして、上側の取付金具３０２は、ネジ穴３１６が穿設された他辺部分を前方に対向させた状態で、取付穴３１５を介して上部島枠４にビス３０６で固定される。一方、下側の取付金具３０３は、係合凸部３１８である他辺部分を前方に対向させた状態で、取付穴３１７を介して下部島枠５上の支承板７にビス３０７で固定される。これに対して、被覆板部材３０１は、先ず、下側部分における係合凹部３１１が支承板７に固定された取付金具３０３の係合凸部３１８に係合され、次いで、この状態から、上側部分における取付穴３１０が上部島枠４に固定された取付金具３０２のネジ穴３１６にビス３０４及びワッシャー３０５で固定される。そして、最後に、被覆板部材３０１の上側部分を固定するビス３０４の頭部に、装飾用のキャップ部材３０８が取り付けられることで、上部島枠４と下部島枠５との間への間仕切り３００の取り付けが完了する。なお、このような間仕切り３００の取り付け状態において、被覆板部材３０１に設けられた収納空間３１３ａは、当該間仕切り３００に隣接して設置された遊技機の機種紹介用のポップ等を開口３１２から挿入して収納しておく空間として利用することができる。
【００９５】
また、上記した間仕切り３００の被覆板部材３０１を取り外す際には、ビス３０４の頭部を外部に露出すべくキャップ部材３０８を取り外し、次いで、ビス３０４の捻じ込みを解除することで、被覆板部材３０１の上側部分の固定を解除する。そして、この状態から、係合凹部３１１と係合凸部３１８との係合を解除するように被覆板部材３０１を上方へ引き抜くことで、被覆板部材３０１を取り外すことができる。
【００９６】
ところで、従来の間仕切りの構成によれば、各遊技機間を被覆する板部材（本実施形態の被覆板部材に相当）の裏面側の上端及び下端にそれぞれ取付片部が一体的に設けられ、該上下の取付片部を個々に上部島枠４及び下部島枠５（支承板７）にビス止めすることで、間仕切りの取り付けが行われるようになっていた。しかしながら、このような構成では、間仕切りの取り付け及び取り外しを行う場合、隣接される遊技機が設置空間１０から取り外された状態でないと各作業を行うことができなかった。これに対して、間仕切り３００の構成によれば、各島枠４，５（支承板７）に固定された取付金具３０２，３０３に対して被覆板部材３０１が着脱可能となっており、然も、被覆板部材３０１をビス３０４で止める箇所が当該被覆板部材３０１の表面部分に露出するようになっている。このため、隣接される遊技機が設置空間１０に取り付けられた状態であっても、間仕切り３００の取り付け及び取り外しの各作業を行うことができる。
【符号の説明】
【００９７】
１  遊技島台
２  玉貸機
４  上部島枠
５  下部島枠
７  支承板
８  間仕切り
９  外枠
１０  設置空間
１１  装飾カバー体
２０  下側遊技機固定装置
２１  取付ベース
２２  取付部材
２３  押圧固定部材
２４  螺合部材
２５  取付ボルト
２６  取付ナット
２７，２８  コイルスプリング
２９  押圧ボルト
３１  上壁面
３１ａ  挿通穴
３４  側壁面
３４ａ  支持部
３６  側壁面
３６ａ  当接部
３８  押圧爪部
５０  上側遊技機固定装置
５１  取付ベース
５２  取付部材
５３  押圧固定部材
５４  螺合部材
５５  取付ボルト
５６  取付ナット
５７  固定ボルト
５８  押圧ボルト
６７  上壁面
７０  挿通穴
７４  側壁面
７４ａ  支持部
７６  側壁面
７６ａ  当接部
７８  押圧爪部
１００  上側遊技機固定装置（遊技機固定装置）
１０１  取付ベース
１０２  スライド取付部材（移動取付部材）
１０３  押圧固定部材
１０４  螺合部材
１０５  取付ボルト（第１螺軸部材）
１０７  固定ボルト（第２螺軸部材）
１１３  ネジ穴
１１８  前壁面（支持部）
１２３  挿通穴
１２４  側壁面（被覆部）
１２５  上壁面（被覆部）
１２６  後壁面（被覆部）
１２８  押圧爪部（押圧部）
【図１】
0005630197.tif 000002
【図２】
0005630197.tif 000003
【図３】
0005630197.tif 000004
【図４】
0005630197.tif 000005
【図５】
0005630197.tif 000006
【図６】
0005630197.tif 000007
【図７】
0005630197.tif 000008
【図８】
0005630197.tif 000009
【図９】
0005630197.tif 000010
【図１０】
0005630197.tif 000011
【図１１】
0005630197.tif 000012
【図１２】
0005630197.tif 000013
【図１３】
0005630197.tif 000014
【図１４】
0005630197.tif 000015
【図１５】
0005630197.tif 000016
【図１６】
0005630197.tif 000017
【図１７】
0005630197.tif 000018
【図１８】
0005630197.tif 000019
【図１９】
0005630197.tif 000020
【図２０】
0005630197.tif 000021
【図２１】
0005630197.tif 000022
【図２２】
0005630197.tif 000023
【図２３】
0005630197.tif 000024